(57)【特許請求の範囲】
【請求項１】
少なくとも１つの柱状部材を備えてなる物品に取り付けられ、前記柱状部材に嵌着される筐体と、該筐体と前記柱状部材の間に少なくとも一部が介在するように、前記筐体の前記柱状部材側の面に支持されるインレットと、を具備してなり、
前記筐体は、前記柱状部材に外嵌される外嵌部、および、該外嵌部に連設され、前記インレットを支持する支持部を有し、
前記支持部の前記柱状部材側の面に前記インレットを配置した場合、少なくとも前記インレットの一端部が、前記支持部から前記外嵌部の前記柱状部材側の面上に突出し、前記外嵌部を前記柱状部材の中心軸方向に見たとき、前記一端部の前記柱状部材に接する面が、前記外嵌部の前記柱状部材側の面よりも高い位置にあることを特徴とするＩＣタグ。
【請求項２】
前記インレットが、エラストマーからなる被膜で被覆されたことを特徴とする請求項１に記載のＩＣタグ。
【請求項３】
前記被膜の表面がエンボス加工されたことを特徴とする請求項２に記載のＩＣタグ。
【請求項４】
少なくとも前記支持部に、前記インレットを嵌合する嵌合部が設けられ、前記嵌合部は、前記支持部の長手方向と垂直な中心線、または、前記支持部の長手方向と平行な中心線を介して対称な構造をなしていることを特徴とする請求項１〜３のいずれか１項に記載のＩＣタグ。
【請求項５】
少なくとも１つの柱状部材を備えてなる物品に、ＩＣタグが取り付けられ、前記物品が個別に管理される物品の管理方法であって、
前記ＩＣタグは、筐体と、該筐体と前記柱状部材の間に少なくとも一部が介在するように、前記筐体の前記柱状部材側の面に支持されるインレットと、を具備してなり、前記筐体は、前記柱状部材に外嵌される外嵌部、および、該外嵌部に連設され、前記インレットを支持する支持部を有し、前記支持部の前記柱状部材側の面に前記インレットを配置した場合、少なくとも前記インレットの一端部が、前記支持部から前記外嵌部の前記柱状部材側の面上に突出し、前記外嵌部を前記柱状部材の中心軸方向に見たとき、前記一端部の前記柱状部材に接する面が、前記外嵌部の前記柱状部材側の面よりも高い位置にあり、少なくとも前記インレットの一端部を介在させて、前記柱状部材に前記外嵌部が外嵌され、情報読取／書込装置により前記ＩＣタグに対する情報の読取りまたは書込みが非接触にて行われ、前記物品が管理されることを特徴とする物品の管理方法。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電波を媒体として外部から情報を受信し、また、外部に情報を送信できるようにしたＩＣタグおよびＩＣタグを用いた物品の管理方法に関するものである。
【背景技術】
【０００２】
ＩＣタグは、基材と、その一方の面に設けられ互いに接続されたアンテナおよびＩＣチップとから構成されるインレットを備えており、情報書込／読出装置からの電波を受信すると共振作用によりアンテナに起電力が発生し、この起電力によりＩＣタグ内のＩＣチップが起動し、このＩＣチップ内の情報を信号化し、この信号がＩＣタグのアンテナから発信される。
このようなＩＣタグは、大量かつ多種類の物品が取り扱われる店舗や倉庫、あるいは、物流の現場において、物品の運搬に用いられるカゴ車などに取り付けられ、店舗や倉庫における物品の管理、物流における物品の管理などにおいて、各物品に関する情報をＩＣチップに記録することによって作業効率の向上や正確な物品の管理を行うことを目的として、利用されつつある。
【０００３】
カゴ車へのＩＣタグの取付構造としては、カゴ車を構成する周壁部の上端フレームに、その上側部分が欠如された形態の凹入部が設けられ、凹入部を覆う状態に上端フレームに装着される非金属製のカバーの内面にＩＣタグを装着するものが知られている（例えば、特許文献１参照）。
【先行技術文献】
【特許文献】
【０００４】
【特許文献１】特開２０１０−１８４１０号公報
【発明の概要】
【発明が解決しようとする課題】
【０００５】
しかしながら、特許文献１に開示されているカゴ車へのＩＣタグの取付構造は、カゴ車に凹入部を設ける必要があるため、既存のカゴ車をそのまま用いることができなかった。また、内面にＩＣタグを装着したカバーを、カゴ車に装着した後、カバーからＩＣタグが脱落するおそれがあった。
【０００６】
本発明は、上記事情に鑑みてなされたものであって、物品に対する特別な加工を必要とすることなく、容易に取り付けが可能であり、かつ、インレットの脱落を防止したＩＣタグおよびＩＣタグを用いた物品の管理方法を提供することを目的とする。
【課題を解決するための手段】
【０００７】
本発明のＩＣタグは、少なくとも１つの柱状部材を備えてなる物品に取り付けられ、前記柱状部材に嵌着される筐体と、該筐体と前記柱状部材の間に少なくとも一部が介在するように、前記筐体の前記柱状部材側の面に支持されるインレットと、を具備してなり、前記筐体は、前記柱状部材に外嵌される外嵌部、および、該外嵌部に連設され、前記インレットを支持する支持部を有し、前記支持部の前記柱状部材側の面に前記インレットを配置した場合、少なくとも前記インレットの一端部が、前記支持部から前記外嵌部の前記柱状部材側の面上に突出し、前記外嵌部を前記柱状部材の中心軸方向に見たとき、前記一端部の前記柱状部材に接する面が、前記外嵌部の前記柱状部材側の面よりも高い位置にあることを特徴とする。
【０００８】
前記インレットが、エラストマーからなる被膜で被覆されたことが好ましい。
【０００９】
前記被膜の表面がエンボス加工されたことが好ましい。
【００１０】
少なくとも前記支持部に、前記インレットを嵌合する嵌合部が設けられ、前記嵌合部は、前記支持部の長手方向と垂直な中心線、または、前記支持部の長手方向と平行な中心線を介して対称な構造をなしていることが好ましい。
【００１１】
本発明の物品の管理方法は、少なくとも１つの柱状部材を備えてなる物品に、ＩＣタグが取り付けられ、前記物品が個別に管理される物品の管理方法であって、前記ＩＣタグは、筐体と、該筐体と前記柱状部材の間に少なくとも一部が介在するように、前記筐体の前記柱状部材側の面に支持されるインレットと、を具備してなり、前記筐体は、前記柱状部材に外嵌される外嵌部、および、該外嵌部に連設され、前記インレットを支持する支持部を有し、前記支持部の前記柱状部材側の面に前記インレットを配置した場合、少なくとも前記インレットの一端部が、前記支持部から前記外嵌部の前記柱状部材側の面上に突出し、前記外嵌部を前記柱状部材の中心軸方向に見たとき、前記一端部の前記柱状部材に接する面が、前記外嵌部の前記柱状部材側の面よりも高い位置にあり、少なくとも前記インレットの一端部を介在させて、前記柱状部材に前記外嵌部が外嵌され、情報読取／書込装置により前記ＩＣタグに対する情報の読取りまたは書込みが非接触にて行われ、前記物品が管理されることを特徴とする。
【発明の効果】
【００１２】
本発明のＩＣタグによれば、筐体の支持部の一方の面にインレットを配置した場合、少なくともインレットの一端部が、筐体の支持部から外嵌部の一方の面上に突出し、インレットの一端部の一方の面が、筐体の外嵌部の一方の面よりも高い位置にあるので、対象となる物品を構成する柱状部材に外嵌部を外嵌する際、柱状部材と筐体との間に、少なくともインレットの一端部を介在させることによって、柱状部材に外嵌部を直接、外嵌すると、両者の間に隙間が生じる場合にも、インレットによってその隙間が埋められて、柱状部材に対して外嵌部を強固に固定することができる。ひいては、物品に対してＩＣタグを強固に固定することができる。また、物品に特別な加工などを施すことなく、物品に対して、ＩＣタグを容易に取り付けることができる。
【００１３】
本発明の物品の管理方法によれば、ＩＣタグを取り付けた物品を正確に管理することができるとともに、その作業効率を向上することができる。また、本発明の物品の管理方法によれば、外観がほぼ等しく、一見しただけでは見分けのつき難い物品を多数重ね置きした場合にも、それぞれの物品を確実に識別して、個別に管理することができる。
【図面の簡単な説明】
【００１４】
【図１】本発明のＩＣタグの第一の実施形態を示す概略斜視図である。
【図２】本発明のＩＣタグの第一の実施形態の使用方法を示し、ＩＣタグをカゴ車に取り付けた状態を示す概略斜視図である。
【図３】本発明のＩＣタグの第一の実施形態の使用方法として、ＩＣタグをカゴ車のフレームに取り付けた状態を示す概略斜視図である。
【図４】本発明のＩＣタグの第一の実施形態の使用方法として、ＩＣタグをカゴ車のフレームに取り付けた状態を示す概略斜視図である。
【図５】本発明のＩＣタグの第二の実施形態の一部を示す概略平面図である。
【図６】本発明のＩＣタグの第三の実施形態の一部を示す概略平面図である。
【図７】本発明のＩＣタグの第四の実施形態を構成する筐体を示す概略斜視図である。
【図８】本発明のＩＣタグの第四の実施形態の使用方法として、ＩＣタグをカゴ車のフレームに取り付けた状態を示す概略斜視図である。
【発明を実施するための形態】
【００１５】
本発明のＩＣタグおよびＩＣタグを用いた物品の管理方法の実施の形態について説明する。
なお、この実施の形態は、発明の趣旨をより良く理解させるために具体的に説明するものであり、特に指定のない限り、本発明を限定するものではない。
【００１６】
（１）第一の実施形態
図１は、本発明のＩＣタグの第一の実施形態を示す概略斜視図である。
この実施形態のＩＣタグ１０は、筐体２０と、筐体２０の一方の面２０ａに支持されるインレット３０とから概略構成されている。
このＩＣタグ１０は、例えば、図２に示すようなカゴ車４０に取り付けられて用いられる。この実施形態では、ＩＣタグ１０がカゴ車４０に取り付けられた場合について説明する。
【００１７】
インレット３０は、平面視長方形状をなすフィルム状またはシート状の基材３１と、ＩＣチップ３２と、アンテナ３３とから概略構成されている。また、ＩＣチップ３２およびアンテナ３３は、基材３１の一方の面３１ａに設けられ、互いに電気的に接続されている。また、アンテナ３３は、互いに対向し、その対向する側にそれぞれ給電点（ＩＣチップ３２と接続する部分）を有する一対の放射素子３４，３４とから構成されるダイポールアンテナである。
【００１８】
ＩＣタグ１０が取り付けられるカゴ車４０としては、例えば、図２に示すものが挙げられる。
カゴ車４０は、物品を載置支持する平面視長方形状の載置台４１と、その載置台４１における四辺のうちの三辺を基端として立設され、かつ、上端箇所に水平方向に沿う長尺状の上端フレーム４２Ａ，４３Ａ，４４Ａを有し、全体として格子状に形成された周壁部４２，４３，４４と、載置台４１よりも下方、かつ、載置台４１の四隅に配置された複数の車輪４５とから概略構成されている。
カゴ車４０は、載置台４１の四隅に設けられた車輪４５により手押し可能となっている。
【００１９】
載置台４１は、その後端部（載置台４１において、周壁部４２，４３，４４が設けられていない辺側を前端部とした場合、その対向する辺側）が、載置台４１の後端部側に設けられた周壁部４３の下端部に、ヒンジ部材（図示略）を介して横軸心周りに回転自在に支持されている。これにより、載置台４１は、周壁部４３に対して、上方側に折り畳み自在に支持されている。
また、周壁部４３は、その一方の側端部４３Ｂ（図２において右側の側端部）が、ヒンジ部材４６を介して、隣り合う周壁部４４（図２において右側の周壁部４４）の一方の側端部４４Ｂに連結されている。さらに、周壁部４３は、その他方の側端部４３Ｃ（図２において左側の側端部）が、ヒンジ部材４７を介して、隣り合う周壁部４２（図２において左側の周壁部４２）の一方の側端部４２Ｂに連結されている。
【００２０】
また、周壁部４４の一方の側端部４４Ｂが、ヒンジ部材４６を介して、周壁部４３の右側端部（一方の側端部４３Ｂ）に縦軸心周りに回転自在に支持されることにより、周壁部４４が、上方側に折り畳まれた載置台４１を周壁部４３との間で挟んだ状態で折り畳み自在となっている。
【００２１】
つまり、載置台４１は、横軸心周りの揺動操作により水平方向に沿う姿勢の載置姿勢と、上方側に折り畳まれて周壁部４３と重なる垂直方向に沿う格納姿勢とに、姿勢変更自在に構成されている。また、周壁部４４は、縦軸心周りの揺動操作により前後方向に沿う姿勢の使用姿勢と、内方側に折り畳まれて周壁部４３および載置台４１と重なる横幅方向に沿う折畳姿勢とに、姿勢変更自在に構成されている。
【００２２】
カゴ車４０は、載置姿勢の載置台４１を上方側に折り畳んで格納姿勢に姿勢変更させた後、使用姿勢の周壁部４４を内方側に折り畳んで折畳姿勢に姿勢変更させることにより、平面視でＬ字状となるように折り畳むことができる。そして、Ｌ字状に折り畳んだカゴ車４０の内方側や外方側に、他のＬ字状に折り畳んだカゴ車４０を重ねることで、複数のカゴ車４０を省スペースで格納することができるように構成されている。
【００２３】
車輪４５には、車輪本体を遊転自在に支持する支持体４８にロック手段としてのストッパー４９が取り付けられている。ストッパー４９は、車輪４５の転動を許容する傾斜姿勢のロック解除位置と、車輪４５の転動を禁止する水平姿勢のロック位置とに、車輪４５の回転軸心周りに回転自在に取り付けられている。つまり、ストッパー４９は、車輪４５の転動を許容する開放状態と、車輪４５の転動を禁止する禁止状態とに、人為操作にて切り換え操作自在に取り付けられている。
【００２４】
周壁部４２，４３，４４は、金属製、プラスチック製または木製である。周壁部４２，４３，４４は、その外枠（フレーム）をなす上端フレーム４２Ａ，４３Ａ，４４Ａ、および、側端部４２Ｂ，４３Ｂ，４３Ｃ，４４Ｂなどが円柱状をなしている。
【００２５】
ＩＣタグ１０では、図３および４に示すように、カゴ車４０に取り付けた場合、筐体２０が、ヒンジ部材４６を介して連結された、隣り合う２つの周壁部４３，４４に対して、それぞれの側端部４３Ｂ，４４Ｂの間を架け渡して配置されるように設けられ、また、インレット３０が、筐体２０における側端部４３Ｂ，４４Ｂと対向する面（一方の面２０ａ）に設けられている。
【００２６】
筐体２０は、互いに離隔して設けられ、かつ、２つの側端部４３Ｂ，４４Ｂのそれぞれに外嵌される一対の外嵌部２１Ａ，２１Ｂ、および、この一対の外嵌部２１Ａ，２１Ｂの間に、外嵌部２１Ａ，２１Ｂに直交するように介在して、これらの外嵌部２１Ａ，２１Ｂを連結する平板状の支持部２２を有している。すなわち、筐体２０は、支持部２２を介して一対の外嵌部２１Ａ，２１Ｂが連結されてなる略亜鈴形状をなしている。なお、支持部２２は、ＩＣタグ１０をカゴ車４０に取り付ける際、インレット３０を支持（配置）する部分である。
【００２７】
外嵌部２１Ａ，２１Ｂは、筐体２０の幅方向に互いに離隔して設けられた一対の爪部２１ｂ，２１ｂと、この一対の爪部２１ｂ，２１ｂの間に介在して、これらの爪部２１ｂ，２１ｂを連結する連結部２１ｃとから構成されている。また、外嵌部２１Ａ，２１Ｂの外形は、側端部４３Ｂ，４４Ｂの外形に沿った形状、すなわち、円弧状をなしている。また、外嵌部２１Ａ，２１Ｂの側端部４３Ｂ，４４Ｂと対向する面（以下、「一方の面」という。）２１ａ，２１ａの形状は、側端部４３Ｂ，４４Ｂの外形に沿った形状、すなわち、円弧状をなしている。なお、外嵌部２１Ａ，２１Ｂの内面２１ａとは、外嵌部２１Ａ，２１Ｂが側端部４３Ｂ，４４Ｂに外嵌されたとき、爪部２１ｂの側端部４３Ｂ，４４Ｂの外周面と対向する面、および、連結部２１ｃの側端部４３Ｂ，４４Ｂの外周面と対向する面のことである。また、爪部２１ｂ，２１ｂは、側端部４３Ｂ，４４Ｂの外形に沿って、連結部２１ｃよりも長めに設けられており、側端部４３Ｂ，４４Ｂの外周の２／３〜３／４程度を覆う長さをなしている。
【００２８】
これにより、側端部４３Ｂ，４４Ｂのそれぞれに、外嵌部２１Ａ，２１Ｂが外嵌された場合、側端部４３Ｂ，４４Ｂの外周面に対する外嵌部２１Ａ，２１Ｂの内面２１ａの密着性が高くなり、側端部４３Ｂ，４４Ｂに対して、ＩＣタグ１０が強固にクランプ固定される。
【００２９】
このＩＣタグ１０では、筐体２０の支持部２２における側端部４３Ｂ，４４Ｂと対向する面（以下、「一方の面」という。）２２ａにインレット３０を配置した場合、インレット３０の両端部３０ｂ、３０ｃが、支持部２２から外嵌部２１Ａ，２１Ｂの一方の面２１ａ，２１ａ上に突出し、両端部３０ｂ、３０ｃにおけるインレット３０の側端部４３Ｂ，４４Ｂと対向する面（以下、「一方の面」という。）３０ａが、外嵌部２１Ａ，２１Ｂの一方の面２１ａ，２１ａよりも高い位置にある。
【００３０】
筐体２０とインレット３０に上記のような関係があるので、側端部４３Ｂ，４４Ｂのそれぞれに、筐体２０の外嵌部２１Ａ，２１Ｂを外嵌する際、側端部４３Ｂ，４４Ｂと外嵌部２１Ａ，２１Ｂとの間にインレット３０の両端部３０ｂ、３０ｃを介在させることによって、側端部４３Ｂ，４４Ｂに外嵌部２１Ａ，２１Ｂを直接、外嵌すると、両者の間に隙間が生じる場合にも、インレット３０によってその隙間が埋められて、側端部４３Ｂ，４４Ｂに対して外嵌部２１Ａ，２１Ｂを強固に固定し、ひいては、カゴ車４０に対してＩＣタグ１０を強固に固定することができる。
なお、側端部４３Ｂ，４４Ｂと外嵌部２１Ａ，２１Ｂとの間にインレット３０の両端部３０ｂ、３０ｃを介在させるとは、側端部４３Ｂ，４４Ｂと外嵌部２１Ａ，２１Ｂとの間にインレット３０の両端部３０ｂ、３０ｃを挟み込むことを言う。
【００３１】
また、筐体２０は、非導電性部材、あるいは、非導電性部材と金属の複合材からなり、支持部２２のうち少なくともインレット３０が支持される領域（以下、「領域α」という。）が非導電性部材で形成されていればよい。したがって、筐体２０は、支持部２２における領域α以外の領域が、非導電性部材、金属、あるいは、非導電性部材と金属の複合材のいずれかで形成されていてもよい。例えば、筐体２０は、支持部２２が非導電性部材からなり、外嵌部２１Ａ，２１Ｂが金属からなっていてもよい。
【００３２】
また、側端部４３Ｂ，４４Ｂが金属製の場合、側端部４３Ｂ，４４Ｂのそれぞれに、外嵌部２１Ａ，２１Ｂが外嵌された場合、側端部４３Ｂ，４４Ｂに対して、インレット３０を構成するアンテナ３３の放射素子３４，３４の先端部（放射素子３４，３４のＩＣチップ３２と接続されている側の端部とは反対側の端部）の一部が対向して交差するように、外嵌部２１Ａ，２１Ｂの一方の面２１ａ，２１ａに沿って、放射素子３４，３４の先端部が配置されることが好ましい。
また、側端部４３Ｂ，４４Ｂに対して、放射素子３４，３４の先端部の一部が交差する角度は、９０°であることが好ましく、実用的には４５°〜９０°である。
【００３３】
これにより、アンテナ３３の放射素子３４，３４と金属製の側端部４３Ｂ，４４Ｂの間には、電磁誘導または静電誘導により電流が流れるようになり、側端部４３Ｂ，４４Ｂは、アンテナ３３の一部、すなわち、アンテナ３３を延長した延長部として機能する。したがって、アンテナ３３のみでは、インレット３０の長手方向からは通信できなかったが、アンテナ３３の延長部をなす側端部４３Ｂ，４４Ｂを介して、インレット３０の長手方向からも通信可能となる。すなわち、金属製の側端部４３Ｂ，４４Ｂを介して、アンテナ３３の指向性を広く（指向性を弱く）することができる。
【００３４】
さらに、側端部４３Ｂ，４４Ｂのそれぞれに、外嵌部２１Ａ，２１Ｂが外嵌された場合、筐体２０の一方の面２０ａまたは他方の面（一方の面２０ａとは反対側の面）から見て、側端部４３Ｂ，４４Ｂが、筐体２０から突出していることが好ましい。なお、この側端部４３Ｂ，４４Ｂが、筐体２０から突出しているとは、側端部４３Ｂ，４４Ｂに対して、アンテナ３３の放射素子３４，３４の先端部の一部を交差させた場合に、側端部４３Ｂ，４４Ｂの長さが、筐体２０の幅よりも大きいことをいう。このようにすれば、金属製の側端部４３Ｂ，４４Ｂを介して、インレット３０の長手方向からも電波の送受信をより効率的に行うことができる。すなわち、金属製の側端部４３Ｂ，４４Ｂを介して、アンテナ３３の指向性をより広く（指向性をより弱く）することができる。
【００３５】
側端部４３Ｂ，４４Ｂの筐体２０に対する突出する方向は、筐体２０の幅方向の両端側であることが好ましい。このようにすれば、側端部４３Ｂ，４４Ｂの筐体２０に対する突出する方向が、筐体２０の幅方向の一端側のみである場合よりも、金属製の側端部４３Ｂ，４４Ｂを介して、アンテナ３３の指向性を広く（指向性を弱く）することができる。
側端部４３Ｂ，４４Ｂの筐体２０に対する突出量は、特に限定されず、必要に応じて、適宜調整される。
【００３６】
筐体２０を構成する非導電性部材としては、特に限定されないが、例えば、ポリエチレンテレフタレート（ＰＥＴ）、ポリブチレンテレフタレート（ＰＢＴ）、ポリエチレンナフタレート（ＰＥＮ）などのポリエステル樹脂；ポリエチレン（ＰＥ）、ポリプロピレン（ＰＰ）などのポリオレフィン樹脂；ポリフッ化ビニル、ポリフッ化ビニリデン、ポリ４フッ化エチレンなどのポリフッ化エチレン系樹脂；ナイロン６、ナイロン６，６などのポリアミド樹脂；ポリ塩化ビニル（ＰＶＣ）、エチレン−酢酸ビニル共重合体、ポリビニルアルコール、ビニロンなどのビニル重合体；ポリメタクリル酸メチル、ポリメタクリル酸エチル、ポリアクリル酸エチル、ポリアクリル酸ブチルなどのアクリル系樹脂；ポリスチレン；ポリカーボネート（ＰＣ）；ポリアリレート；ポリイミド；ガラスエポキシ樹脂などのプラスチックからなる部材などが用いられる。
【００３７】
インレット３０の基材３１としては、ポリエチレンテレフタレート（ＰＥＴ）、グリコール変性ポリエチレンテレフタレート（ＰＥＴ−Ｇ）、ポリブチレンテレフタレート（ＰＢＴ）、ポリエチレンナフタレート（ＰＥＮ）などのポリエステル樹脂からなる基材；ポリエチレン（ＰＥ）、ポリプロピレン（ＰＰ）などのポリオレフィン樹脂からなる基材；ポリフッ化ビニル、ポリフッ化ビニリデン、ポリ４フッ化エチレンなどのポリフッ化エチレン系樹脂からなる基材；ナイロン６、ナイロン６，６などのポリアミド樹脂からなる基材；ポリ塩化ビニル（ＰＶＣ）、エチレン−酢酸ビニル共重合体、ポリビニルアルコール、ビニロンなどのビニル重合体からなる基材；ポリメタクリル酸メチル、ポリメタクリル酸エチル、ポリアクリル酸エチル、ポリアクリル酸ブチルなどのアクリル系樹脂からなる基材；ポリスチレンからなる基材；ポリカーボネート（ＰＣ）からなる基材；ポリアリレートからなる基材；ポリイミドからなる基材；上質紙、薄葉紙、グラシン紙、硫酸紙などの紙からなる基材などが用いられる。
【００３８】
インレット３０のＩＣチップ３２としては、特に限定されず、アンテナ３３を介して非接触状態にて情報の書き込みおよび読み出しが可能なものであれば、非接触型ＩＣタグや非接触型ＩＣラベル、あるいは、非接触型ＩＣカードなどのＲＦＩＤメディアに適用可能なものであればいかなるものでも用いられる。
【００３９】
インレット３０のアンテナ３３は、基材３１の一方の面３１ａに、ポリマー型導電インクを用いて所定のパターンにスクリーン印刷、インクジェット印刷などの印刷法により形成されてなるもの、もしくは、導電性箔をエッチングしてなるもの、金属メッキしてなるものである。
【００４０】
ポリマー型導電インクとしては、例えば、銀粉末、金粉末、白金粉末、アルミニウム粉末、パラジウム粉末、ロジウム粉末、カーボン粉末（カーボンブラック、カーボンナノチューブなど）などの導電微粒子が樹脂組成物に配合されたものが挙げられる。
【００４１】
樹脂組成物として熱硬化型樹脂を用いれば、ポリマー型導電インクは、２００℃以下、例えば、１００〜１５０℃程度でアンテナ３３をなす塗膜を形成することができる熱硬化型となる。アンテナ３３をなす塗膜の電気の流れる経路は、塗膜をなす導電微粒子が互いに接触することにより形成され、この塗膜の抵抗値は１０-5Ω・ｃｍオーダーである。
また、本発明におけるポリマー型導電インクとしては、熱硬化型の他にも、光硬化型、浸透乾燥型、溶剤揮発型といった公知のものが用いられる。
【００４２】
光硬化型のポリマー型導電インクは、光硬化性樹脂を樹脂組成物に含むものであり、硬化時間が短いので、製造効率を向上させることができる。光硬化型のポリマー型導電インクとしては、例えば、熱可塑性樹脂のみ、あるいは、熱可塑性樹脂と架橋性樹脂（特に、ポリエステルとイソシアネートによる架橋系樹脂など）とのブレンド樹脂組成物に、導電微粒子が６０質量％以上配合され、ポリエステル樹脂が１０質量％以上配合されたもの、すなわち、溶剤揮発型あるいは架橋／熱可塑併用型（ただし、熱可塑型が５０質量％以上である）のものや、熱可塑性樹脂のみ、あるいは、熱可塑性樹脂と架橋性樹脂（特に、ポリエステルとイソシアネートによる架橋系樹脂など）とのブレンド樹脂組成物に、ポリエステル樹脂が１０質量％以上配合されたもの、すなわち、架橋型あるいは架橋／熱可塑併用型のものなどが好適に用いられる。
【００４３】
また、アンテナ３３をなす導電性箔としては、銅箔、銀箔、金箔、白金箔、アルミニウム箔などが挙げられる。
さらに、アンテナ３３をなす金属メッキとしては、銅メッキ、銀メッキ、金メッキ、白金メッキなどが挙げられる。
【００４４】
また、インレット３０は、少なくともその一方の面３０ａが、エラストマーからなる被膜で被覆されていることが好ましい。
この被膜を形成するエラストマーとしては、特に限定されないが、インレット３０と側端部４３Ｂ，４４Ｂの密着性、または、側端部４３Ｂ，４４Ｂに対するインレット３０の保持力の向上を目的とした場合、アクリルゴム、アクリロニトリルブタジエンゴム、イソプレンゴム、ウレタンゴム、エチレンプロピレンゴム、エピクロルヒドリンゴム、クロロプレンゴム、シリコーンゴム、スチレンブタジエンゴム、ブタジエンゴム、フッ素ゴム、ブチルゴムなどから選択される合成ゴム（弾性ゴム）が好適に用いられる。
さらに、インレット３０と外嵌部２１Ａ，２１Ｂの一方の面２１ａ，２１ａとの密着性を向上させるには、インレット３０の一方の面３０とは反対側の面も、エラストマーからなる被膜で被覆されていることが好ましい。
【００４５】
また、インレット３０と側端部４３Ｂ，４４Ｂの密着性、側端部４３Ｂ，４４Ｂに対するインレット３０の保持力、または、インレット３０と外嵌部２１Ａ，２１Ｂの一方の面２１ａ，２１ａとの密着性をより向上させるためには、上記の被膜の表面がエンボス加工され、その表面が凹凸になっていることが好ましい。このようにすれば、被膜の滑り抵抗が大きくなり、前記の密着性や保持力がより向上する。
【００４６】
このＩＣタグ１０によれば、筐体２０の支持部２２の一方の面２２ａにインレット３０を配置した場合、インレット３０の両端部３０ｂ、３０ｃが、支持部２２から外嵌部２１Ａ，２１Ｂの一方の面２１ａ，２１ａ上に突出し、両端部３０ｂ、３０ｃにおけるインレット３０の一方の面３０ａが、外嵌部２１Ａ，２１Ｂの一方の面２１ａ，２１ａよりも高い位置にあるので、カゴ車４０の側端部４３Ｂ，４４Ｂのそれぞれに、筐体２０の外嵌部２１Ａ，２１Ｂを外嵌する際、側端部４３Ｂ，４４Ｂと外嵌部２１Ａ，２１Ｂとの間にインレット３０の両端部３０ｂ、３０ｃを介在させることによって、側端部４３Ｂ，４４Ｂに外嵌部２１Ａ，２１Ｂを直接、外嵌すると、両者の間に隙間が生じる場合にも、インレット３０によってその隙間が埋められて、側端部４３Ｂ，４４Ｂに対して外嵌部２１Ａ，２１Ｂを強固に固定することができる。ひいては、カゴ車４０に対してＩＣタグ１０を強固に固定することができる。また、カゴ車４０に特別な加工などを施すことなく、カゴ車４０に対して、ＩＣタグ１０を容易に取り付けることができる。
【００４７】
なお、この実施形態では、筐体２０の外嵌部２１Ａ，２１Ｂの内面の形状を、円柱状の側端部４３Ｂ，４４Ｂの外形に沿った形状、すなわち、円弧状としたＩＣタグ１０を例示したが、本発明はこれに限定されない。本発明にあっては、ＩＣタグ１０が取り付けられる、カゴ車などを構成する柱状部材（側端部）が三角柱状、四角柱状、五角柱状などであってもよく、筐体の外嵌部の内面の形状が、その柱状部材の外形に沿った形状であってもよい。
【００４８】
また、この実施形態では、筐体２０が、並列に設けられた２つの側端部４３Ｂ，４４Ｂの間を架け渡して配置されるように設けられたＩＣタグ１０を例示したが、本発明はこれに限定されない。本発明にあっては、ＩＣタグが取り付けられる隣り合う２つの柱状部材は並列に設けられていなくてもよく、この２つの柱状部材は交差していてもよい。このように、隣り合う２つの柱状部材が交差している場合も、筐体は、これら２つの柱状部材の間を架け渡して配置されるように設けられる。
【００４９】
また、この実施形態では、筐体２０が、一対の外嵌部２１Ａ，２１Ｂと支持部２２を有する場合を例示したが、本発明はこれに限定されない。本発明にあっては、筐体が、柱状部材に外嵌される外嵌部を１つ有し、その外嵌部に連設された支持部を１つ有する構造であってもよい。この場合、１つの柱状部材と、１つの外嵌部との間にインレットの一端部を介在させることにより、柱状部材に対して外嵌部を強固に固定し、ひいては、柱状部材を構成部材として含む物品に対してＩＣタグを強固に固定することができる。
【００５０】
また、この実施形態では、ＩＣタグ１０がカゴ車４０に取り付けられた場合を例示したが、本発明はこれに限定されない。本発明のＩＣタグは、少なくとも隣り合う２つの柱状部材を備えてなる全ての物品に対して適用することができる。このような少なくとも隣り合う２つの柱状部材を備えた構造を有する物品としては、例えば、椅子、テーブル、机、箪笥などの家具、台車などが挙げられる。
【００５１】
次に、ＩＣタグ１０を用いたカゴ車４０の管理方法を例示して、本発明の物品の管理方法を説明する。
まず、図２〜４に示すように、ＩＣタグ１０は、その筐体２０が、カゴ車４０の周壁部のうち隣り合う２つの周壁部４３，４４に対して、それぞれの側端部４３Ｂ，４４Ｂの間を架け渡すように配置され、側端部４３Ｂ，４４Ｂのそれぞれに、外嵌部２１Ａ，２１Ｂが外嵌される。なお、筐体２０の外嵌部２１Ａ，２１Ｂを外嵌する際、側端部４３Ｂ，４４Ｂと外嵌部２１Ａ，２１Ｂとの間にインレット３０の両端部３０ｂ、３０ｃを介在させる。
【００５２】
この状態で、情報読取／書込装置（図示略）により、ＩＣタグ１０を構成するインレット３０のＩＣチップ３２に対する情報の読取りまたは書込みが非接触にて行われ、カゴ車４０が個別に管理される。
ＩＣチップ３２に書き込まれる情報としては、カゴ車４０の識別番号、所属（保管場所）、管理者；カゴ車４０によって運搬される物品の種類、製造者、製造場所、製造年月日、発注者、配送先（住所、電話電話番号など）、保管場所などが挙げられる。
【００５３】
このように、ＩＣタグ１０を用いたカゴ車４０の管理方法によれば、ＩＣタグ１０を取り付けたカゴ車４０を正確に管理することができるとともに、その作業効率を向上することができる。特に、このカゴ車４０の管理方法によれば、外観がほぼ等しく、一見しただけでは見分けのつき難いカゴ車を多数重ね置きした場合にも、それぞれのカゴ車を確実に識別して、個別に管理することができる。
【００５４】
また、側端部４３Ｂ，４４Ｂが金属製であり、側端部４３Ｂ，４４Ｂと外嵌部２１Ａ，２１Ｂとの間に、アンテナ３３の放射素子３４，３４の先端部の一部または全部が介在するように、筐体２０に対してインレット３０が配置され、かつ、側端部４３Ｂ，４４Ｂに対して、放射素子３４，３４の先端部の一部または全部が対向し、交差するように、カゴ車４０の所定の位置にＩＣタグ１０を配置した場合、放射素子３４，３４と側端部４３Ｂ，４４Ｂの間には、電磁誘導または静電誘導により電流が流れるようになり、側端部４３Ｂ，４４Ｂを、アンテナ３３の延長部として機能させることができる。これにより、この延長部を介して、情報読取／書込装置（図示略）によるインレット３０のＩＣチップ３２に対する情報の読取りまたは書込みが非接触にて行われ、カゴ車４０を個別に管理することができる。
【００５５】
このように、金属製の側端部４３Ｂ，４４Ｂを、アンテナ３３の延長部として機能させることにより、この側端部４３Ｂ，４４Ｂを介して、アンテナ３３の指向性を広くすることができるので、アンテナ３３のみで、情報読取／書込装置とＩＣタグ１０の非接触通信を行った場合には、インレット３０の長手方向からは、情報読取／書込装置によるＩＣチップ３２に対する情報の読取りまたは書込みを行うことができなかったのが、全ての方向、すなわち、ＩＣタグ１０に対して３６０°の全方向から、情報読取／書込装置によるＩＣチップに対する情報の読取りまたは書込みを行うことができるようになる。
【００５６】
（２）第二の実施形態
図５は、本発明のＩＣタグの第二の実施形態の一部を示す概略平面図である。
この実施形態のＩＣタグ５０は、筐体６０と、筐体６０の一方の面６０ａに支持されるインレット７０とから概略構成されている。
ＩＣタグ５０は、筐体６０にインレット７０を嵌合する構造を有する点において、上述の第一の実施形態のＩＣタグ１０と異なっており、その他の点では、上述の第一の実施形態のＩＣタグ１０と同様の構成をなしている。
【００５７】
筐体６０は、上述の第一の実施形態と同様に、互いに離隔して設けられ、かつ、上述の隣り合う２つの柱状部材（カゴ車４０では側端部４３Ｂ，４４Ｂ）のそれぞれに外嵌される一対の外嵌部（図示略）、および、この一対の外嵌部の間に、外嵌部に直交するように介在して、これらの外嵌部を連結する平板状の支持部６２を有している。すなわち、筐体６０は、連結部６２を介して一対の外嵌部が連結されてなる略亜鈴形状をなしている。
【００５８】
インレット７０は、上述の第一の実施形態と同様に、平面視長方形状をなすフィルム状またはシート状の基材７１と、ＩＣチップ７２と、一対の放射素子７４，７４から構成されるアンテナ７３とから概略構成されている。また、ＩＣチップ７２およびアンテナ７３は、基材７１の一方の面７１ａに設けられ、互いに電気的に接続されている。
【００５９】
また、インレット７０の基材７１の長手方向の両端部側、すなわち、筐体６０の支持部６２と外嵌部との接続している側にはそれぞれ、基材７１の長手方向（すなわち、筐体６０の支持部６２の長手方向）と垂直な中心線を介して対称な位置に、基材７１を厚さ方向に貫通する平面視円形状の嵌合穴（嵌合部）７１ｂ，７１ｃが設けられている。
【００６０】
筐体６０の支持部６２における、上述の柱状部材（カゴ車４０では側端部４３Ｂ，４４Ｂ）と対向する面（一方の面６２ａ）には、その長手方向の両端部、すなわち、筐体６０の支持部６２と外嵌部との接続している側の部分において、インレット７０の基材７１に設けられた嵌合穴７１ｂ，７１ｃに嵌合する、一対の円柱状の嵌合突起（嵌合部）６３，６３が突設されている。すなわち、嵌合突起６３，６３は、嵌合穴７１ｂ，７１ｃとほぼ形状が等しくなっており、かつ、支持部６２の長手方向と垂直な中心線を介して対称な位置に設けられている。
【００６１】
このＩＣタグ５０によれば、筐体６０の支持部６２の一方の面６２ａにインレット７０を配置した場合、インレット７０の両端部が、支持部６２から外嵌部の一方の面上に突出し、インレット７０の両端部における一方の面７０ａが、外嵌部の一方の面よりも高い位置にあるので、カゴ車４０の側端部４３Ｂ，４４Ｂのそれぞれに、筐体６０の外嵌部を外嵌する際、側端部４３Ｂ，４４Ｂと外嵌部との間にインレット７０の両端部を介在させることによって、側端部４３Ｂ，４４Ｂに外嵌部を直接、外嵌すると、両者の間に隙間が生じる場合にも、インレット７０によってその隙間が埋められて、側端部４３Ｂ，４４Ｂに対して外嵌部を強固に固定することができる。さらに、筐体６０の連結部６２に、その連結部６２の長手方向と垂直な中心線を介して対称な位置に設けられた嵌合突起６３，６３に、インレット７０の嵌合穴７１ｂ，７１ｃを嵌合することにより、筐体６０の連結部６２の一方の面６２ａにインレット７０を固定することができる。ひいては、カゴ車４０に対してＩＣタグ５０を強固に固定することができる。また、カゴ車４０に特別な加工などを施すことなく、カゴ車４０に対して、ＩＣタグ５０を容易に取り付けることができる。
【００６２】
なお、この実施形態では、インレット７０の基材７１に、平面視円形状の嵌合穴７１ｂ，７１ｃが設けられ、筐体６０の支持部６２に、円柱状の嵌合突起６３，６３が設けられた場合を例示したが、本発明はこれに限定されない。本発明にあっては、インレットの基材に設けられる嵌合穴の形状は、平面視半円形状、平面視楕円形状、平面視三角形状、平面視四角形状、平面視多角形状（五角形以上）などであってもよい。そして、筐体の支持部に設けられる嵌合突起の形状は、前記の嵌合穴の形状に応じて、半円柱状、楕円柱状、三角柱状、四角柱状、多角柱状（五角形以上）などであってもよい。
【００６３】
（３）第三の実施形態
図６は、本発明のＩＣタグの第三の実施形態の一部を示す概略平面図である。
この実施形態のＩＣタグ８０は、筐体９０と、筐体９０の一方の面９０ａに配置されるインレット１００とから概略構成されている。
ＩＣタグ８０は、筐体９０にインレット１００を嵌合する構造において、上述の第一の実施形態のＩＣタグ１０と異なっており、その他の点では、上述の第一の実施形態のＩＣタグ１０と同様の構成をなしている。
【００６４】
筐体９０は、上述の第一の実施形態と同様に、互いに離隔して設けられ、かつ、上述の隣り合う２つの柱状部材（カゴ車４０では側端部４３Ｂ，４４Ｂ）のそれぞれに外嵌される一対の外嵌部（図示略）、および、この一対の外嵌部の間に、外嵌部に直交するように介在して、これらの外嵌部を連結する平板状の支持部９２を有している。すなわち、筐体９０は、支持部９２を介して一対の外嵌部が連結されてなる略亜鈴形状をなしている。
【００６５】
インレット１００は、上述の第一の実施形態と同様に、平面視長方形状をなすフィルム状またはシート状の基材１０１と、ＩＣチップ１０２と、一対の放射素子１０４，１０４から構成されるアンテナ１０３とから概略構成されている。また、ＩＣチップ１０２およびアンテナ１０３は、基材１０１の一方の面１０１ａに設けられ、互いに電気的に接続されている。
【００６６】
インレット１００の基材１０１の長手方向の中央部には、その長手方向に沿う両側面１０１ｂ，１０１ｃを基端として、インレット１００の長手方向（すなわち、筐体９０の支持部９２の長手方向）と垂直に、内側に窪むように、一対の平面視長方形状の嵌合凹部（嵌合部）１０１ｄ，１０１ｅが設けられている。すなわち、嵌合凹部１０１ｄ，１０１ｅは、インレット１００の長手方向と平行な中心線を介して対称な位置に設けられている。
【００６７】
筐体９０の支持部９２における、上述の柱状部材（カゴ車４０では側端部４３Ｂ，４４Ｂ）と対向する面（一方の面９２ａ）には、その中央部において、その長手方向と垂直に、インレット１００の基材１０１に設けられた嵌合凹部１０１ｄ，１０１ｅに嵌合する、一対の平面視長方形状の嵌合突起（嵌合部）９３，９３が所定の間隔を置いて設けられている。すなわち、嵌合突起９３，９３は、嵌合凹部１０１ｄ，１０１ｅとほぼ形状が等しくなっており、かつ、インレット１００の長手方向と平行な中心線を介して対称な位置に設けられている。
【００６８】
このＩＣタグ８０によれば、筐体９０の支持部９２の一方の面９２ａにインレット１００を配置した場合、インレット１００の両端部が、支持部９２から外嵌部の一方の面上に突出し、インレット１００の両端部における一方の面１００ａが、外嵌部の一方の面よりも高い位置にあるので、カゴ車４０の側端部４３Ｂ，４４Ｂのそれぞれに、筐体９０の外嵌部を外嵌する際、側端部４３Ｂ，４４Ｂと外嵌部との間にインレット１００の両端部を介在させることによって、側端部４３Ｂ，４４Ｂに外嵌部を直接、外嵌すると、両者の間に隙間が生じる場合にも、インレット１００によってその隙間が埋められて、側端部４３Ｂ，４４Ｂに対して外嵌部を強固に固定することができる。さらに、筐体９０の支持部９２の中央部に設けられた嵌合突起９３，９３に、インレット１００の中央部に設けられた嵌合凹部１０１ｄ，１０１ｅを嵌合することにより、筐体９０の連結部９２の一方の面９２ａにインレット１００を固定することができる。ひいては、カゴ車４０に対してＩＣタグ８０を強固に固定することができる。また、カゴ車４０に特別な加工などを施すことなく、カゴ車４０に対して、ＩＣタグ８０を容易に取り付けることができる。
【００６９】
なお、この実施形態では、インレット１００の基材１０１の長手方向の中央部に、平面視長方形状の嵌合凹部１０１ｄ，１０１ｅが設けられた場合を例示したが、本発明はこれに限定されない。本発明にあっては、インレットの基材に設けられる嵌合凹部の形状は、平面視半円形状、平面視三角形状、平面視正方形状、平面視多角形状（五角形以上）などであってもよい。そして、筐体の連結部に設けられる嵌合突起の形状は、前記の嵌合凹部の形状に応じて、半円柱状、三角柱状、四角柱状、多角柱状（五角形以上）などであってもよい。
【００７０】
また、上述の第二の実施形態および第三の実施形態では、筐体の支持部およびインレットに嵌合部が設けられた場合を例示したが、本発明はこれに限定されない。本発明にあっては、少なくとも筐体の支持部に、インレットを嵌合する嵌合部が設けられていればよく、その嵌合部が、支持部の長手方向と垂直な中心線、または、支持部の長手方向と平行な中心線を介して対称な構造をなしていればよい。
【００７１】
（４）第四の実施形態
図７は、本発明のＩＣタグの第四の実施形態を構成する筐体を示す概略斜視図である。図８は、本発明のＩＣタグの第四の実施形態の使用方法として、ＩＣタグをカゴ車のフレームに取り付けた状態を示す概略斜視図である。
この実施形態のＩＣタグ１１０は、筐体１２０と、筐体１２０の一方の面１２０ａに支持されるインレット１３０とから概略構成されている。
このＩＣタグ１１０は、例えば、図２に示すようなカゴ車４０に取り付けられて用いられる。
【００７２】
インレット１１０は、上述の第一の実施形態と同様に、平面視長方形状をなすフィルム状またはシート状の基材１３１と、ＩＣチップ１３２と、一対の放射素子１３４，１３４から構成されるアンテナ１３３とから概略構成されている。また、ＩＣチップ１３２およびアンテナ１３３は、基材１３１の一方の面１３１ａに設けられ、互いに電気的に接続されている。
【００７３】
インレット１３０の基材１３１の長手方向の中央部には、インレット１３０の長手方向（すなわち、筐体１２０の支持部１２２の長手方向）と垂直に、内側に窪むように、一対の平面視長方形状の嵌合凹部（嵌合部）１３１ｄ，１３１ｅが設けられている。すなわち、嵌合凹部１３１ｄ，１３１ｅは、インレット１３０の長手方向と平行な中心線を介して対称な位置に設けられている。
また、インレット１３０の基材１３１の長手方向における、嵌合凹部１３１ｄ，１３１ｅの両脇には、インレット１３０の長手方向（すなわち、筐体１２０の支持部１２２の長手方向）と垂直に、外側に突出するように、二対の平面視長方形状の嵌合凸部（嵌合部）１３１ｆ，１３１ｆ，１３１ｇ，１３１ｇが設けられている。すなわち、嵌合凸部１３１ｆ，１３１ｆが対をなして、支持部１２２の長手方向と平行な中心線を介して対称な位置に設けられている。また、嵌合凸部１３１ｇ，１３１ｇが対をなして、支持部１２２の長手方向と平行な中心線を介して対称な位置に設けられている。
【００７４】
筐体１２０は、上述の第一の実施形態と同様に、互いに離隔して設けられ、かつ、上述の側端部４３Ｂ，４４Ｂのそれぞれに外嵌される一対の外嵌部１２１Ａ，１２１Ｂ、および、この一対の外嵌部１２１Ａ，１２１Ｂの間に、外嵌部１２１Ａ，１２１Ｂに直交するように介在して、これらの外嵌部１２１Ａ，１２１Ｂを連結する平板状の支持部１２２を有している。すなわち、筐体１２０は、支持部１２２を介して一対の外嵌部１２１Ａ，１２１Ｂが連結されてなる略亜鈴形状をなしている。
【００７５】
外嵌部１２１Ａ，１２１Ｂは、筐体１２０の幅方向に互いに離隔して設けられた一対の爪部１２１ｂ，１２１ｂと、この一対の爪部１２１ｂ，１２１ｂの間に介在して、これらの爪部１２１ｂ，１２１ｂを連結する連結部１２１ｃとから構成されている。また、外嵌部１２１Ａ，１２１Ｂの側端部４３Ｂ，４４Ｂと対向する面（以下、「内面」という。）１２１ａ，１２１ａの形状は、側端部４３Ｂ，４４Ｂの外形に沿った形状、すなわち、円弧状をなしている。
【００７６】
筐体１２０の支持部１２２における側端部４３Ｂ，４４Ｂと対向する面（以下、「一方の面」という。）１２２ａ、および、外嵌部１２１Ａ，１２１Ｂの内面１２１ａ，１２１ａには、インレット１３０を嵌合するために、前記の一方の面１２２ａ、および、内面１２１ａ，１２１ａよりも凹む嵌合部１２３が設けられている。すなわち、嵌合部１２３は、支持部１２２を基端として、その両側の外嵌部１２１Ａ，１２１Ｂに延在するように設けられている。嵌合部１２３は、インレット１３０の外形とほぼ形状が等しくなっている。また、嵌合部１２３の深さは、インレット１３０の厚さよりも浅くなっており、例えば、インレット１３０の厚さの１／２〜１／５程度となっている。
嵌合部１２３の中央部、すなわち、支持部１２２の長手方向の中央部には、その長手方向と垂直に、内側に突出するように、一対の平面視長方形状の嵌合凸部（嵌合部）１２４，１２４が設けられている。すなわち、嵌合凸部１２４，１２４は、インレット１３０の長手方向と平行な中心線を介して対称な位置に設けられている。嵌合凸部１２４，１２４は、インレット１３０の中央部に設けられた嵌合凹部１３１ｄ，１３１ｅの外形とほぼ形状が等しくなっている。
【００７７】
また、筐体１２０の支持部１２２の長手方向における、嵌合凸部１２４，１２４の両脇には、筐体１２０の支持部１２２の長手方向と垂直に、外側に窪むように、二対の平面視長方形状の嵌合凹部（嵌合部）１２３ａ，１２３ａ，１２３ｂ，１２３ｂが設けられている。すなわち、嵌合凹部１２３ａ，１２３ａが対をなして、支持部１２２の長手方向と平行な中心線を介して対称な位置に設けられている。また、嵌合凹部１２３ａ，１２３ａが対をなして、支持部１２２の長手方向と平行な中心線を介して対称な位置に設けられている。嵌合凹部１２３ａ，１２３ａ，１２３ｂ，１２３ｂは、インレット１３０に設けられた嵌合凸部１３１ｆ，１３１ｆ，１３１ｇ，１３１ｇの外形とほぼ形状が等しくなっている。
【００７８】
このＩＣタグ１１０によれば、筐体１２０の支持部１２２に設けられた嵌合凸部１２４，１２４に、インレット１３０の嵌合凹部１３１ｄ，１３１ｅが嵌合し、筐体１２０の支持部１２２に設けられた嵌合凹部１２３ａ，１２３ａ，１２３ｂ，１２３ｂに、インレット１３０に設けられた嵌合凸部１３１ｆ，１３１ｆ，１３１ｇ，１３１ｇが嵌合し、インレット１３０が、筐体１２０の支持部１２２の一方の面１２２ａ、および、外嵌部１２１Ａ，１２１Ｂの内面１２１ａ，１２１ａよりも突出した状態で、前記の一方の面１２２ａ、および、内面１２１ａ，１２１ａに固定されるので、カゴ車４０の側端部４３Ｂ，４４Ｂのそれぞれに、筐体１２０の外嵌部１２１Ａ，１２１Ｂを外嵌する際、側端部４３Ｂ，４４Ｂと外嵌部１２１Ａ，１２１Ｂとの間にインレット１３０の両端部を介在させることによって、側端部４３Ｂ，４４Ｂに外嵌部を直接、外嵌すると、両者の間に隙間が生じる場合にも、インレット１３０によってその隙間が埋められて、側端部４３Ｂ，４４Ｂに対して外嵌部を強固に固定することができる。ひいては、カゴ車４０に対してＩＣタグ１１０を強固に固定することができる。また、カゴ車４０に特別な加工などを施すことなく、カゴ車４０に対して、ＩＣタグ１１０を容易に取り付けることができる。
【００７９】
なお、この実施形態では、インレット１３０の基材１３１の長手方向の中央部に、平面視長方形状の嵌合凹部１３１ｄ，１３１ｅが設けられ、インレット１３０の基材１３１の長手方向における、嵌合凹部１３１ｄ，１３１ｅの両脇に、平面視長方形状の嵌合凸部１３１ｆ，１３１ｆ，１３１ｇ，１３１ｇが設けられた場合を例示したが、本発明はこれに限定されない。本発明にあっては、インレットの基材に設けられる嵌合凹部または嵌合凸部の形状は、平面視半円形状、平面視四角形状、平面視多角形状（五角形以上）などであってもよい。そして、筐体の連結部に設けられる嵌合凸部または嵌合凹部の形状は、前記の嵌合凹部または嵌合凸部の形状に応じて、半円柱状、四角柱状、多角柱状（五角形以上）などであってもよい。
【符号の説明】
【００８０】
１０，５０，８０，１１０・・・ＩＣタグ
２０，６０，９０，１２０・・・筐体
２１Ａ，２１Ｂ，１２１Ａ，１２１Ｂ・・・外嵌部
２２，６２，９２，１２２・・・支持部
２３，６３，９３・・・嵌合突起
３０，７０，１００，１３０・・・インレット
３１，７１，１０１，１３１・・・基材
３２，７２，１０２，１３２・・・ＩＣチップ
３３，７３，１０３，１３３・・・アンテナ
３４，７４，１０４，１３４・・・放射素子
４０・・・カゴ車
４１・・・載置台
４２，４３，４４・・・周壁部
４３Ｂ，４３Ｃ，４４Ｂ・・・側端部
４５・・・車輪
４６，４７・・・ヒンジ部材
４８・・・支持体
４９・・・ストッパー
１２３・・・嵌合凹部
１２４・・・嵌合凸部
【図１】
0005587757.tif 000002
【図２】
0005587757.tif 000003
【図３】
0005587757.tif 000004
【図４】
0005587757.tif 000005
【図５】
0005587757.tif 000006
【図６】
0005587757.tif 000007
【図７】
0005587757.tif 000008
【図８】
0005587757.tif 000009